(57)【要約】【課題】それぞれが棒状に形成された複数の揮散体を安定的に立て掛けた状態に支持可能で、かつ揮散体の使用後期における良好な揮散性の確保が可能な容器を提供すること。【解決手段】それぞれが棒状に形成された複数の揮散体（１０）を支持するための容器（２０）であって、複数の揮散体（１０）の各下端部を受ける受け部（３０）と、複数の揮散体（１０）の中間部位をその周囲から包囲する包囲部（４２）と、受け部（３０）と包囲部（４２）とを接続する側壁部（５０）と、を有し、側壁部（５０）は、奥行方向に開口するとともに包囲部（４２）の内側に形成される包囲空間とつながる揮散用空間（５１）を幅方向の両側から取り囲む形状を有し、包囲部（４２）の奥行方向の寸法及び側壁部（５０）の奥行方向の寸法が、受け部（３０）のそれよりも小さく、かつ包囲部（４２）と受け部（３０）との距離が受け部（３０）の奥行方向の寸法よりも大きいこと。【選択図】図１
2015192838.tif 000002
【特許請求の範囲】
【請求項１】
それぞれが棒状に形成された複数の揮散体を支持するための容器であって、
前記複数の揮散体のそれぞれの下端部を受ける受け部と、
前記複数の揮散体の前記下端部よりも上側の中間部位をその周囲からまとめて包囲する包囲部と、
前記受け部と前記包囲部とを接続する側壁部と、を有し、
前記側壁部は、前記受け部と前記包囲部とを結ぶ高さ方向と直交する奥行方向に開口するとともに前記包囲部の内側に形成される包囲空間とつながる揮散用空間を前記高さ方向及び前記奥行方向の双方と直交する幅方向の両側から取り囲む形状を有し、
前記包囲部の前記奥行方向の寸法及び前記側壁部の前記奥行方向の寸法が、前記受け部のそれよりも小さく、かつ前記包囲部と前記受け部との距離が前記受け部の前記奥行方向の寸法よりも大きい容器。
【請求項２】
請求項１に記載の容器において、
前記包囲部から上方に向かって延びて前記揮散体の前記包囲部内への挿入を案内する案内部をさらに有し、この案内部は、前記包囲部の前記奥行方向の内側に収まるとともに前記包囲部から上方に向かうにしたがって前記幅方向の外側に向かって広がる形状を有する容器。
【請求項３】
請求項１又は２に記載の容器において、
前記包囲部は、前記奥行方向に互いに対向する一対の対向部を有し、
各対向部の前記高さ方向の寸法は、各対向部の前記奥行方向の寸法よりも大きく形成されている容器。
【請求項４】
請求項１ないし３のいずれかに記載の容器において、
前記受け部は、前記揮散体の下端部を下方から受ける受け面と、前記受け面の外縁から起立するとともに前記揮散体の下端部を前記受け面上に位置させるように当該下端部に対して外側から当接する当接面と、を有し、
前記受け面は、前記揮散体の下端部を前記当接面に向かって案内するようにその中央側が外周側に対して上方に隆起する隆起面を有する容器。
【請求項５】
請求項４に記載の容器において、
前記隆起面は、中央面と、この中央面から前記当接面に向かって下方に傾斜する傾斜面と、を有し、
前記中央面は、外向きに凸となるとともに前記傾斜面に滑らかにつながるように湾曲する湾曲面を有する容器。
【請求項６】
請求項５に記載の容器において、
前記受け面は、前記隆起面と前記当接面との間に介在して前記揮散体の下端部を下方から支持する環状の支持面を有する容器。
【請求項７】
請求項６に記載の容器において、
前記支持面の外側の縁部及び前記支持面の内側の縁部のうち互いに対向する部位同士の間の寸法は、前記揮散体の下端部の外径よりも大きく設定されている容器。
【請求項８】
請求項６又は７に記載の容器において、
前記傾斜面は、前記揮散体の下端部が下方から前記支持面に支持されるとともに側方から前記当接面に支持され、かつ前記揮散体の中間部位が前記包囲部の内周面に支持されるように傾斜した姿勢の前記揮散体から離間する形状を有する容器。
【発明の詳細な説明】
【技術分野】
【０００１】
本発明は、芳香剤、消臭剤、忌避剤、除菌剤等の揮散剤を含む棒状の揮散体を支持する容器に関する。
【背景技術】
【０００２】
従来、芳香剤等の揮散剤を含む揮散体が知られている。例えば、特許文献１には、嗅覚活性組成物と、この嗅覚活性組成物を保持可能な棒状の構造構成要素と、を有する揮散体が開示されている。この揮散体に含まれる嗅覚活性組成物は、構造構成要素の表面全体から揮散する。
【先行技術文献】
【特許文献】
【０００３】
【特許文献１】特表２０１３−５２６９０６号公報
【発明の概要】
【発明が解決しようとする課題】
【０００４】
上記特許文献１に記載されるような棒状の揮散体は、意匠性の観点から、複数本が容器に立て掛けられた状態、より具体的には、当該揮散体の上部が容器から上方に突出するように当該容器に支持された状態で使用されることが求められている。このようなニーズに応える容器として、例えば、上方に開口する有底筒状のものが考えられる。
【０００５】
この容器に棒状の揮散体を立て掛けた状態で使用し続けた場合、構造構成要素の中に含浸している嗅覚活性組成物が重力の影響により構造構成要素の下部に移動するため、使用後期においては、主に構造構成要素の下部から嗅覚活性組成物が揮散する。この使用後期においても嗅覚活性組成物の良好な揮散性を維持するには、容器の筒状の側壁部の高さ方向の寸法をできるだけ小さくする必要がある。しかしながら、前記側壁部の高さ方向の寸法を小さくすると、棒状の長い揮散体を安定的に支持することができない。
【０００６】
本発明は、それぞれが棒状に形成された複数の揮散体を安定的に立て掛けた状態に支持可能で、かつ揮散体の使用後期における良好な揮散性の確保が可能な容器を提供することである。
【課題を解決するための手段】
【０００７】
前記課題を解決するための手段として、本発明は、それぞれが棒状に形成された複数の揮散体を支持するための容器であって、前記複数の揮散体のそれぞれの下端部を受ける受け部と、前記複数の揮散体の前記下端部よりも上側の中間部位をその周囲からまとめて包囲する包囲部と、前記受け部と前記包囲部とを接続する側壁部と、を有し、前記側壁部は、前記受け部と前記包囲部とを結ぶ高さ方向と直交する奥行方向に開口するとともに前記包囲部の内側に形成される包囲空間とつながる揮散用空間を前記高さ方向及び前記奥行方向の双方と直交する幅方向の両側から取り囲む形状を有し、前記包囲部の前記奥行方向の寸法及び前記側壁部の前記奥行方向の寸法が、前記受け部のそれよりも小さく、かつ前記包囲部と前記受け部との距離が前記受け部の前記奥行方向の寸法よりも大きい容器を提供する。
【０００８】
本容器では、受け部が各揮散体の下端部を支持し、包囲部の内周面が揮散体の中間部位をまとめて支持するので、包囲部と受け部との距離を大きくすることによって棒状の各揮散体の上部が包囲部から上方に突出する姿勢でこれら揮散体を安定的に支持することができ、しかも、側壁部が奥行方向に開口する揮散用空間を取り囲む形状を有しているので、包囲部と受け部との距離を大きくしたとしても揮散体の使用後期における揮散性が良好に確保される。すなわち、本容器では、包囲部と受け部との距離を大きくすることによる長い揮散体の安定的な支持と、当該揮散体の使用後期の良好な揮散性の確保とを両立することができる。
【０００９】
さらに、包囲部の奥行方向の寸法及び側壁部の奥行方向の寸法が、受け部のそれよりも小さく、かつ包囲部と受け部との距離が受け部の奥行方向の寸法よりも大きいので、容器の奥行方向の占有面積を小さくしながら当該容器の転倒を抑制することができる。具体的に、包囲部と受け部との距離が受け部の奥行方向の寸法よりも大きい場合、容器の奥行方向の占有面積を小さくしながら比較的長い形状の揮散体を安定的に支持可能な一方で、特に包囲部に対して奥行方向の外力が作用したときに当該容器が転倒しやすくなる。これに対し、本容器では、包囲部の奥行方向の寸法及び側壁部の奥行方向の寸法が受け部のそれよりも小さいので、包囲部の奥行方向の寸法及び側壁部の奥行方向の寸法が受け部のそれと同じかあるいはそれよりも大きい場合に比べ、当該容器の重心がより下方（受け部寄り）に位置する。よって、容器に対して奥行方向の外力が作用したときの当該容器の転倒が抑制される。
【００１０】
この場合において、前記包囲部から上方に向かって延びて前記揮散体の前記包囲部内への挿入を案内する案内部をさらに有し、この案内部は、前記包囲部の前記奥行方向の内側に収まるとともに前記包囲部から上方に向かうにしたがって前記幅方向の外側に向かって広がる形状を有することが好ましい。
【００１１】
このようにすれば、容器に対して奥行方向の外力が作用したときの容器の転倒のしにくさを維持しつつ、揮散体の包囲部内への挿入容易性を向上させることができる。具体的に、案内部は、包囲部から上方に向かって延びるものの、包囲部の前記奥行方向の内側に収まる形状を有するので、当該案内部を設けることによる容器の重心の位置の上昇が抑制される。そして、案内部は、包囲部から上方に向かうにしたがって前記幅方向の外側に向かって広がる形状を有するので、この案内部の内面に揮散体を沿わせながら当該揮散体を前記包囲空間内に挿入することにより、容易に揮散体を容器に立て掛けることができる。
【００１２】
また、本発明において、前記包囲部は、前記奥行方向に互いに対向する一対の対向部を有し、各対向部の前記高さ方向の寸法は、各対向部の前記奥行方向の寸法よりも大きく形成されていることが好ましい。
【００１３】
このようにすれば、包囲部における一対の対向部の強度を確保しつつ揮散体をより傾斜した姿勢に支持することによって揮散性を向上させることができる。具体的に、包囲部の奥行方向の寸法を小さくするほど当該容器は転倒しにくくなるものの、その分包囲部の内側に形成される包囲空間が小さくなるので、棒状の揮散体が傾斜した姿勢に支持されにくくなる。一方、包囲空間を大きくすることにより揮散体をより傾斜した姿勢に支持することが可能となるが、その分各対向部の奥行方向の寸法（厚み）が小さくなるので、当該対向部の強度が低下する。本発明では、各対向部の高さ方向の寸法が各対向部の奥行方向の寸法よりも大きく形成されているので、前記高さ方向の寸法が確保されることによって各対向部の強度が確保され、しかも、対向部間の距離（包囲空間の奥行方向の寸法）が大きくなる分、揮散体をより傾斜した姿勢に支持することが可能となる。
【００１４】
また、本発明において、前記受け部は、前記揮散体の下端部を下方から受ける受け面と、前記受け面の外縁から起立するとともに前記揮散体の下端部を前記受け面上に位置させるように当該下端部に対して外側から当接する当接面と、を有し、前記受け面は、前記揮散体の下端部を前記当接面に向かって案内するようにその中央側が外周側に対して上方に隆起する隆起面を有することが好ましい。
【００１５】
このようにすれば、包囲部内に複数の揮散体が挿入された際、各揮散体の下端部は、隆起面に沿いながら当接面に向かうような案内を受けるので、各揮散体は、その下端部が側方から当接面に支持され、かつその中間部位が包囲部の内周面に支持されるように傾斜した姿勢、すなわち各揮散体の上端部が外向きに広がる傾斜姿勢で支持されやすくなる。
【００１６】
具体的に、前記隆起面は、中央面と、この中央面から前記当接面に向かって下方に傾斜する傾斜面と、を有し、前記中央面は、外向きに凸となるとともに前記傾斜面に滑らかにつながるように湾曲する湾曲面を有することが好ましい。
【００１７】
このようにすれば、包囲部内に複数の揮散体が挿入された際、各揮散体の下端部は、湾曲面により滑らかに傾斜面に向かうように案内された後、当該傾斜面に沿いながら当接面に向かうような誘導を受ける。よって、前記下端部がよりスムーズに当接面に向かって案内される。
【００１８】
この場合において、前記受け面は、前記隆起面と前記当接面との間に介在して前記揮散体の下端部を下方から支持する環状の支持面を有することが好ましい。
【００１９】
このようにすれば、揮散体の下端部が下方から支持面に支持されるとともに側方から当接面に支持され、かつ揮散体の中間部位が包囲部の内周面に支持されるので、揮散体の傾斜姿勢が安定する。
【００２０】
さらにこの場合において、前記支持面の外側の縁部及び前記支持面の内側の縁部のうち互いに対向する部位同士の間の寸法は、前記揮散体の下端部の外径よりも大きく設定されていることが好ましい。
【００２１】
このようにすれば、揮散体の下端部が支持面による下方からの支持を受けやすくなるので、揮散体の傾斜姿勢がより安定する。
【００２２】
また、本発明において、前記傾斜面は、前記揮散体の下端部が下方から前記支持面に支持されるとともに側方から前記当接面に支持され、かつ前記揮散体の中間部位が前記包囲部の内周面に支持されるように傾斜した姿勢の前記揮散体から離間する形状を有することが好ましい。
【００２３】
このようにすれば、各揮散体の上端部の外側への広がりを制限することなく、各揮散体が支持面、当接面及び包囲部の内周面の３点により安定的に支持される。
【発明の効果】
【００２４】
以上のように、本発明によれば、それぞれが棒状に形成された複数の揮散体を立て掛けた状態に支持可能で、かつ揮散体の使用後期における良好な揮散性の確保が可能な容器を提供することができる。
【図面の簡単な説明】
【００２５】
【図１】本発明の第一実施形態の容器の斜視図である。
【図２】図１に示す容器の平面図である。
【図３】図２に示すＩＩＩ−ＩＩＩ線での断面図である。
【図４】図２に示すＩＶ−ＩＶ線での断面図である。
【図５】本発明の第二実施形態の容器の斜視図である。
【図６】図５に示す容器の平面図である。
【図７】図６に示すＶＩＩ−ＶＩＩ線での断面図である。
【発明を実施するための形態】
【００２６】
（第一実施形態）
本発明の第一実施形態の容器２０について、図１〜図４を参照しながら説明する。なお、以下の説明における高さ方向は、図１、図３及び図４の上下方向を指し、幅方向は、図３の左右方向を指し、奥行方向は、図４の左右方向を指す。
【００２７】
本実施形態の容器２０は、図１に示されるように、複数の棒状の揮散体１０を立て掛けた状態で支持するものである。この容器２０は、樹脂とこの樹脂よりも大きな比重を有する鉱物質粉末との混合材料により形成されている。前記樹脂としては、ポリエチレン、ポリプロピレン、ＡＢＳ、ポリエチレンテレフタレート等が挙げられる。この樹脂の比重は、０．８〜１．５程度であるのが望ましい。前記鉱物質粉末としては、前記樹脂よりも大きな比重を有するものであればよく、例えば陶器粉、金属粉、ガラス繊維が挙げられる。この鉱物質粉末の比重は、２．０〜１２．０程度であるのが望ましく、特に、陶器粉の比重は、２．０〜５．０程度が望ましい。本実施形態では、容器２０の比重が１．５よりも大きくなるように前記樹脂と前記鉱物質粉末の混合比が設定されている。
【００２８】
各揮散体１０は、一方向に長い円柱状に形成されている。具体的に、揮散体１０は、揮散剤と、この揮散剤を保持する円柱状の芯材１２とを有する。前記揮散剤として、芳香剤、消臭剤、忌避剤、除菌剤等が挙げられる。芯材１２は、紙が多層状となるように巻回され、当該紙の縁部が水溶性の接着剤で接着されることにより形成されている。この芯材１２に揮散剤が含浸することにより揮散体１０が形成される。揮散剤は、芯材１２の表面全体から揮散する。
【００２９】
容器２０は、受け部３０と、受け部３０の上方に設けられた包囲部４２と、包囲部４２の上部に接続された案内部４６と、受け部３０と包囲部４２とを接続する側壁部５０と、を有している。
【００３０】
受け部３０は、容器２０の底部を構成し、各揮散体１０の下端部１０ａを受け入れる凹部３２を有する。凹部３２は、各揮散体１０の下端部１０ａを下方から受ける円形の受け面３３と、受け面３３の外縁から上方に向かって延びる起立部３４と、を有する。図３及び図４に示されるように、起立部３４の内周面は、揮散体１０の下端部１０ａを受け面３３上に位置させるように当該下端部１０ａに対して外側から当接する当接面３４ａを構成する。この当接面３４ａは、複数の揮散体１０の下端部１０ａをまとめて取り囲むことが可能な大きさに設定されている。起立部３４の外周面３４ｂは、受け面３３から径方向に離間するにしたがって下方に傾斜する形状を有する。
【００３１】
包囲部４２は、複数の揮散体１０の各下端部１０ａよりも上側の中間部位１０ｂをその周囲からまとめて包囲する。本実施形態では、包囲部４２は、円筒状に形成されている。図２に示されるように、包囲部４２の内周面４２ａの直径は、起立部３４の当接面３４ａの直径よりも大きく設定されている。包囲部４２は、当該包囲部４２の中心軸と起立部３４の中心軸とが一致するように受け部３０の上方に配置されている。図４に示されるように、包囲部４２と受け部３０との距離は、受け部３０の奥行方向の寸法よりも大きく形成されている。なお、包囲部４２の内周面４２ａは、下方に向かうにしたがってわずかに内側に向かうように傾斜している。
【００３２】
包囲部４２は、奥行方向に互いに対向する一対の対向部４４を有する。図２及び図４に示されるように、各対向部４４間の寸法（包囲部４２の奥行方向の寸法）は、受け部３０の奥行方向の寸法よりも小さく形成されている。図４に示されるように、各対向部４４の高さ方向の寸法は、当該対向部４４の奥行方向の寸法（厚み）よりも大きく設定されている。
【００３３】
案内部４６は、包囲部４２の上端から上方に向かって延びるともに幅方向の外向きに向かって広がる形状を有する。図４に示されるように、案内部４６の奥行寸法は、包囲部４２のそれよりも小さく形成されている。案内部４６の内面４６ａは、包囲部４２の内周面４２ａと滑らかにつながっている。
【００３４】
側壁部５０は、受け部３０と包囲部４２とを接続する形状を有する。この側壁部５０は、奥行方向に開口するとともに包囲部４２の内側に形成される包囲空間４３につながる揮散用空間５１を幅方向の両側から取り囲む形状を有する。側壁部５０は、幅方向の外向きに凸となるように湾曲する形状を有する。側壁部５０の内側面は、受け部３０の上面と滑らかにつながっている。図２及び図４に示されるように、側壁部５０の奥行方向の寸法は、受け部３０のそれよりも小さく形成されている。
【００３５】
本実施形態の容器２０に揮散体１０を立て掛けるときは、揮散体１０の下端部１０ａを案内部４６の内面４６ａに沿わせつつ当該下端部１０ａが包囲空間４３内に至るように挿入する。そして、そのまま揮散体１０を挿入し続けることにより、揮散体１０の下端部１０ａが凹部３２内に収まり、揮散体１０の中間部位１０ｂが包囲部４２の内周面４２ａに支持されるので、この揮散体１０は、容器２０に対して傾斜するとともにその上部が容器２０から上方に突出する状態で当該容器２０に支持される。
【００３６】
以上説明したように、本実施形態の容器２０では、受け部３０が各揮散体１０の下端部１０ａを支持し、包囲部４２の内周面４２ａが揮散体１０の中間部位１０ｂをまとめて支持するので、包囲部４２と受け部３０との距離（高さ方向の寸法）を大きくすることによって棒状の各揮散体１０の上部が包囲部４２から上方に突出する姿勢でこれら揮散体１０を安定的に支持することができる。
【００３７】
この状態で複数の揮散体１０が使用され続けると、芯材１２の中に含浸している揮散剤が重力の影響により芯材１２の下部に移動する。このため、揮散体１０の使用後期においては、主に芯材１２の下部から揮散剤が揮散する。本容器２０の側壁部５０は、奥行方向に開口する揮散用空間５１を幅方向の両側から取り囲む形状を有しているので、包囲部４２と受け部３０との距離を大きくしたとしても揮散体１０の使用後期における揮散性が良好に確保される。すなわち、本容器２０では、包囲部４２と受け部３０との距離を大きくすることによる長い形状の揮散体１０の安定的な支持と、当該揮散体１０の使用後期の良好な揮散性の確保とを両立することができる。
【００３８】
さらに、包囲部４２の奥行方向の寸法及び側壁部５０の奥行方向の寸法が、受け部３０のそれよりも小さく、かつ包囲部４２と受け部３０との距離が受け部３０の奥行方向の寸法よりも大きいので、容器２０の奥行方向の占有面積を小さくしながら当該容器２０の転倒を抑制することができる。具体的に、包囲部４２と受け部３０との距離が受け部３０の奥行方向の寸法よりも大きい場合、容器２０の奥行方向の占有面積を小さくしながら比較的長い棒状の揮散体１０を安定的に支持可能な一方で、特に包囲部４２に対して奥行方向の外力が作用したときに当該容器２０が転倒しやすくなる。これに対し、本容器２０では、包囲部４２の奥行方向の寸法及び側壁部５０の奥行方向の寸法が受け部のそれよりも小さので、包囲部４２の奥行方向の寸法及び側壁部５０の奥行方向の寸法が受け部３０のそれと同じかあるいはそれよりも大きい場合に比べ、当該容器２０の重心がより下方（受け部３０寄り）に位置する。よって、本容器２０では、奥行方向について小さな占有面積で比較的長い棒状の揮散体１０を安定的に支持することと、容器２０に対して奥行方向の外力が作用したときの当該容器２０の転倒の抑制との双方を同時に達成することができる。
【００３９】
加えて、本実施形態では、容器２０が樹脂とこの樹脂よりも大きな比重を有する鉱物質粉末との混合材料により形成されているので、容器２０が樹脂のみによって形成される場合に比べて当該容器２０が重くなる。このため、容器２０に対して外力が作用したときの当該容器２０の転倒がさらに抑制される。
【００４０】
また、本実施形態では、案内部４６は、包囲部４２の奥行方向の内側に収まるとともに包囲部４２から上方に向かうにしたがって幅方向の外側に向かって広がる形状を有するので、容器２０に対して奥行方向の外力が作用したときの容器２０の転倒のしにくさを維持しつつ、揮散体１０の包囲部４２内への挿入容易性を向上させることができる。具体的に、案内部４６は、包囲部４２から上方に向かって延びるものの、包囲部４２の奥行方向の内側に収まる形状を有するので、当該案内部４６を設けることによる容器２０の重心の位置の上昇が抑制される。そして、案内部４６は、包囲部４２から上方に向かうにしたがって幅方向の外側に向かって広がる形状を有するので、この案内部４６の内面４６ａに揮散体１０を沿わせながら当該揮散体１０を包囲空間４３に挿入することにより、容易に揮散体１０を容器２０に立て掛けることができる。
【００４１】
さらに、本実施形態では、各対向部４４の高さ方向の寸法は、各対向部４４の奥行方向の寸法よりも大きく形成されているので、各対向部４４の強度を確保しつつ揮散体１０をより傾斜した姿勢に支持することによって揮散性を向上させることができる。具体的に、包囲部４２の奥行方向の寸法を小さくするほど当該容器２０は転倒しにくくなるものの、その分包囲部４２の内側に形成される包囲空間４３が小さくなるので、棒状の揮散体１０が傾斜した姿勢に支持されにくくなる。一方、包囲空間４３を大きくすることにより揮散体１０をより傾斜した姿勢に支持することが可能となるが、その分各対向部４４の奥行方向の寸法（厚み）が小さくなるので、当該対向部４４の強度が低下する。本実施形態では、各対向部４４の高さ方向の寸法が各対向部４４の奥行方向の寸法よりも大きく形成されているので、高さ方向の寸法が確保されることによって各対向部４４の強度が確保され、しかも、対向部４４間の距離（包囲空間４３の奥行方向の寸法）が大きくなる分揮散体１０をより傾斜した姿勢に支持することが可能となる。
【００４２】
（第二実施形態）
本発明の第二実施形態の容器２０について、図５〜図７を参照しながら説明する。なお、第二実施形態では、第一実施形態と異なる部分についてのみ説明を行い、第一実施形態と同じ構造、作用及び効果の説明は省略する。
【００４３】
容器２０に支持される揮散体１０は、その下端部１０ａが当接面３４ａに当接し、かつ当該下端部１０ａの当接部３４ａへの当接方向と反対方向にその中間部位１０ｂが包囲部４２の内周面４２ａに当接するように傾斜する最大傾斜姿勢のときに、その上端部が最も外側に広がる。揮散性の観点から、複数の揮散体１０がそれぞれ前記最大傾斜姿勢で支持されること、すなわち各揮散体１０の上端部が放射状に広がる姿勢で支持されることが好ましい。
【００４４】
ここで、第一実施形態の容器２０では、前記下端部１０ａと受け面３３との間に生じる摩擦の影響により、前記下端部１０ａが当接面３４ａに接触しない姿勢、すなわち、前記下端部１０ａが当接面３４ａよりも内側で受け面３３に接触し、かつ揮散体１０の中間部位１０ｂが包囲部４２の内周面４２ａに接触した傾斜姿勢で支持される場合がある。この場合、揮散体１０が前記最大傾斜姿勢で支持される場合に比べて当該揮散体１０の上端部の外側への広がりが小さくなる。本実施形態の容器２０は、前記下端部１０ａをより確実に当接面３４ａに当接させることにより高い揮散性を確保するものである。
【００４５】
本実施形態では、受け面３３の形状が第一実施形態のそれと異なる。具体的に、受け面３３は、隆起面３３ａと、隆起面３３ａと当接面３４ａとの間に介在する支持面３３ｄと、を有する。
【００４６】
隆起面３３ａは、揮散体１０の下端部１０ａを当接面３４ａ向かって案内するようにその中央側が外周側に対して上方に隆起する形状を有する。具体的に、隆起面３３ａは、中央面３３ｂと、この中央面３３ｂから当接面３４ａに向かって下方に傾斜する円すい台状の傾斜面３３ｃと、を有する。
【００４７】
中央面３３ｂは、平坦な円形の頂面３３ｅと、この頂面３３ｅから傾斜面３３ｃに滑らかにつながるように湾曲する湾曲面３３ｆと、を有する。頂面３３ｅの支持面３３ｄからの高さは、当接面３４ａの上端のそれよりも小さく設定されている。湾曲面３３ｆは、頂面３３ｅの外縁につながっており、外向きに凸となるように湾曲する形状を有している。
【００４８】
支持面３３ｄは、揮散体１０の下端部１０ａを下方から支持する環状に形成されている。本実施形態では、支持面３３ｄは、平坦な円環状に形成されている。支持面３３ｄの外側の縁部は、当接面３４ａの下端につながっており、支持面３３ｄの内側の縁部は、傾斜面３３ｃの下端につながっている。本実施形態では、支持面３３ｄと傾斜面３３ｃとの境界は、内向きに凸となるように湾曲している。図７に示されるように、支持面３３ｄの外側の縁部及び支持面３３ｄの内側の縁部のうち互いに対向する部位同士の間の寸法Ｌは、揮散体１０の下端部１０ａの外径よりも大きく設定されている。
【００４９】
図７に示されるように、傾斜面３３ｃは、揮散体１０の下端部１０ａが下方から支持面３３ｄに支持されるとともに側方から当接面３４ａに支持され、かつ揮散体１０の中間部位１０ｂが包囲部４２の内周面４２ａに支持されるように傾斜した姿勢の揮散体１０から離間する形状を有する。具体的に、傾斜面３３ｃの支持面３３ｄに対する傾きは、支持面３３ｄ、当接面３４ａ及び包囲部４２の内周面４２ａの３点で支持された姿勢の揮散体１０の支持面３３ｄに対する傾きよりも小さく設定されている。
【００５０】
本実施形態の容器２０では、包囲部４２内に複数の揮散体１０が挿入された際、各揮散体１０の下端部１０ａは、隆起面３３ａに沿いながら当接面３４ａに向かうような案内を受けるので、各揮散体１０は、その下端部１０ａが側方から当接面３４ａに支持され、かつその中間部位１０ｂが包囲部４２の内周面４２ａに支持されるように傾斜した姿勢、すなわち各揮散体１０の上端部が外向きに広がる傾斜姿勢で支持されやすくなる。
【００５１】
また、上記実施形態では、中央面３３ｂは、外向きに凸となるとともに傾斜面３３ｃに滑らかにつながるように湾曲する湾曲面３３ｆを有するので、揮散体１０の下端部１０ａは、湾曲面３３ｆにより滑らかに傾斜面３３ｃに向かうように案内された後、当該傾斜面３３ｃに沿いながら当接面３４ａに向かうような誘導を受ける。よって、前記下端部１０ａがよりスムーズに当接面３４ａに向かって案内される。
【００５２】
また、上記実施形態では、受け面３３は、前記下端部１０ａを下方から支持する環状の支持面３３ｄを有するので、前記下端部１０ａは、下方から支持面３３ｄに支持されるとともに側方から当接面３４ａに支持され、かつ揮散体１０の中間部位１０ｂは、包囲部４２の内周面４２ａに支持される。すなわち、揮散体１０が支持面３３ｄ、当接面３４ａ及び包囲部４２の内周面４２ａの３点で支持されるので、揮散体１０の傾斜姿勢が安定する。
【００５３】
また、上記実施形態では、支持面３３ｄの前記寸法Ｌが揮散体１０の下端部１０ａの外径よりも大きく設定されているので、前記端部１０ａが支持面３３ｄに接触しやすく（支持面３３ｄによる下方からの支持を受けやすく）なる。よって、揮散体１０の傾斜姿勢がより安定する。
【００５４】
また、上記実施形態では、傾斜面３３ｃは、前記３点で支持された姿勢の揮散体１０から離間する形状を有するので、各揮散体１０の上端部の外側への広がりを制限することなく、各揮散体１０が前記３点により安定的に支持される。
【００５５】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
例えば、上記各実施形態では、包囲部４２の中心軸と起立部３４の中心軸とが一致するように包囲部４２が受け部３０の上方に配置された例が示されたが、奥行方向について包囲部４２が受け部３０の内側に収まるのであれば、包囲部４２は、その中心軸が起立部３４の中心軸から奥行方向及び幅方向の少なくとも一方に偏倚した位置に配置されてもよい。
【００５７】
また、上記各実施形態では、側壁部５０が幅方向の外側に凸となるように湾曲する形状を有する例が示されたが、側壁部５０は、幅方向の内側に凸となるように湾曲する形状であってもよい。
【００５８】
また、上記第二実施形態では、湾曲面３３ｆから傾斜面３３ｃの下端部に向かって周方向に間欠的に並ぶ複数の螺旋状の溝が形成されてもよい。各溝は、揮散体１０の下端部１０ａを受け入れ可能な形状に形成される。このようにすれば、各揮散体１０の下端部１０ａが各溝に沿いながら当接面３４ａに当接するような誘導を受けるので、複数の揮散体１０の上端部がより確実に放射状に広がる姿勢で支持される。
【符号の説明】
【００５９】
１０    揮散体
２０    容器
３０    受け部
３２    凹部
３３    受け面
３３ａ  隆起面
３３ｂ  中央面
３３ｃ  傾斜面
３３ｄ  支持面
３３ｅ  頂面
３３ｆ  湾曲面
３４    起立部
３４ａ  当接面
４２    包囲部
４３    包囲空間
４４    対向部
４６    案内部
５０    側壁部
５１    揮散用空間
【図１】
2015192838.tif 000003
【図２】
2015192838.tif 000004
【図３】
2015192838.tif 000005
【図４】
2015192838.tif 000006
【図５】
2015192838.tif 000007
【図６】
2015192838.tif 000008
【図７】
2015192838.tif 000009